【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】
使用者の要求情報を入力する要求情報入力手段と、
前記要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定手段と、
前記混合比に基づいて、画像データを、前記前景成分画像と、前記背景成分画像に分離する分離手段と、
前記分離手段により分離された前記前景成分画像と、任意の背景成分画像、または、前記分離手段により分離された前記背景成分画像と、任意の前景成分画像とを、所定の混合比で合成し、合成画像を生成する合成手段と、
前記合成手段により合成された前記合成画像を出力する出力手段と
を備えることを特徴とする通信装置。
【請求項２】
前記要求情報入力手段は、使用者の要求情報に加えて、前記前景成分画像に対する動きボケを付加する動きボケ調整量をさらに入力し、
前記前景成分画像に対して、前記動きボケ調整量に対応する動きボケを付加する動きボケ付加手段をさらに備え、
前記合成手段は、前記動きボケ付加手段により動きボケが付加された前記前景成分画像と、前記任意の背景成分画像とを、所定の混合比で合成し、合成画像を生成する
ことを特徴とする請求項１に記載の通信装置。
【請求項３】
前記要求情報入力手段は、使用者の要求情報に加えて、前記任意の背景成分画像をさらに入力し、
前記合成手段は、前記前景成分画像と、前記任意の背景成分画像とを、前記混合比推定手段により推定された前記混合比で合成し、合成画像を生成する
ことを特徴とする請求項１に記載の通信装置。
【請求項４】
前記要求情報に応じて、課金処理を実行する課金手段をさらに備える
ことを特徴とする請求項１に記載の通信装置。
【請求項５】
前記課金手段は、前記要求情報に応じて前記使用者の識別子、前記通信装置の識別子、および、前記要求情報に対応する金額情報を含む課金情報を生成し、前記課金情報に基づいて、前記使用者の金融口座に対して課金処理を実行する
ことを特徴とする請求項４に記載の通信装置。
【請求項６】
前記課金処理に使用される使用者毎のポイントを記憶するポイント記憶手段をさらに備え、
前記課金手段は、前記要求情報に応じて前記使用者の識別子、前記通信装置の識別子、および、前記合成画像に対応する金額情報を含む課金情報を生成し、前記ポイント記憶手段に記憶されたポイント数を前記金額情報に対応する分だけ減算することにより課金処理を実行する
ことを特徴とする請求項４に記載の通信装置。
【請求項７】
前記出力手段は、前記課金手段により課金処理が完了した後、課金処理が完了した使用者の通信装置に前記合成画像を出力する
ことを特徴とする請求項４に記載の通信装置。
【請求項８】
前記要求情報入力手段は、前記使用者の要求情報に加えて、前記所定の画像データを入力し、
前記出力手段は、前記合成手段により合成された前記合成画像を、前記課金手段により課金処理が完了した後、課金処理が完了した前記使用者の通信装置に出力する
ことを特徴とする請求項４に記載の通信装置。
【請求項９】
使用者の要求情報を入力する要求情報入力ステップと、
前記要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定ステップと、
前記混合比に基づいて、画像データを、前記前景成分画像と、前記背景成分画像に分離する分離ステップと、
前記分離ステップの処理で分離された前記前景成分画像と、任意の背景成分画像、または、前記分離ステップの処理で分離された前記背景成分画像と、任意の前景成分画像とを、所定の混合比で合成し、合成画像を生成する合成ステップと、
前記合成ステップの処理で合成された前記合成画像を出力する出力ステップと
を含むことを特徴とする通信方法。
【請求項１０】
使用者の要求情報の入力を制御する要求情報入力制御ステップと、
前記要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比の推定を制御する混合比推定制御ステップと、
前記混合比に基づいて、画像データの、前記前景成分画像と、前記背景成分画像への分離を制御する分離制御ステップと、
前記分離制御ステップの処理で分離された前記前景成分画像と、任意の背景成分画像、または、前記分離制御ステップの分離された前記背景成分画像と、任意の前景成分画像との、所定の混合比での合成と、合成画像の生成を制御する合成制御ステップと、
前記合成制御ステップの処理で合成された前記合成画像の出力を制御する出力制御ステップと
を含むことを特徴とするコンピュータが読み取り可能なプログラムが記録されている記録媒体。
【請求項１１】
使用者の要求情報の入力を制御する要求情報入力制御ステップと、
前記要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比の推定を制御する混合比推定制御ステップと、
前記混合比に基づいて、画像データの、前記前景成分画像と、前記背景成分画像への分離を制御する分離制御ステップと、
前記分離制御ステップの処理で分離された前記前景成分画像と、任意の背景成分画像、または、前記分離制御ステップの分離された前記背景成分画像と、任意の前景成分画像との、所定の混合比での合成と、合成画像の生成を制御する合成制御ステップと、
前記合成制御ステップの処理で合成された前記合成画像の出力を制御する出力制御ステップと
をコンピュータに実行させるプログラム。
【請求項１２】
第１の通信装置と第２の通信装置からなる通信システムにおいて、
前記第１の通信装置は、
使用者の要求情報を入力する要求情報入力手段と、
前記要求情報入力手段により入力された前記要求情報を前記第２の送信装置に送信する要求情報送信手段と、
前記第２の通信装置より送信されてくる合成画像を受信する受信手段と
を備え、
前記第２の通信装置は、
前記第１の送信装置より送信されてくる前記要求情報を受信する要求情報受信手段と、
前記要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定手段と、
前記混合比に基づいて、画像データを、前記前景成分画像と、前記背景成分画像に分離する分離手段と、
前記分離手段により分離された前記前景成分画像と、任意の背景成分画像、または、前記分離手段により分離された前記背景成分画像と、任意の前景成分画像とを、所定の混合比で合成し、合成画像を生成する合成手段と、
前記合成手段により合成された前記合成画像を前記第１の通信装置に送信する合成画像送信手段と
を備える
ことを特徴とする通信システム。
【手続補正２】
【補正対象書類名】明細書
【補正対象項目名】０００７
【補正方法】変更
【補正の内容】
【０００７】
【課題を解決するための手段】
本発明の第１の側面の通信装置は、使用者の要求情報を入力する要求情報入力手段と、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定手段と、混合比に基づいて、画像データを、前景成分画像と、背景成分画像に分離する分離手段と、分離手段により分離された前景成分画像と、任意の背景成分画像、または、分離手段により分離された背景成分画像と、任意の前景成分画像とを、所定の混合比で合成し、合成画像を生成する合成手段と、合成手段により合成された合成画像を出力する出力手段とを備えることを特徴とする。
【手続補正３】
【補正対象書類名】明細書
【補正対象項目名】００１５
【補正方法】変更
【補正の内容】
【００１５】
本発明の第１の側面の通信方法は、使用者の要求情報を入力する要求情報入力ステップと、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定ステップと、混合比に基づいて、画像データを、前景成分画像と、背景成分画像に分離する分離ステップと、分離ステップの処理で分離された前景成分画像と、任意の背景成分画像、または、分離ステップの処理で分離された背景成分画像と、任意の前景成分画像とを、所定の混合比で合成し、合成画像を生成する合成ステップと、合成ステップの処理で合成された合成画像を出力する出力ステップとを含むことを特徴とする。
【手続補正４】
【補正対象書類名】明細書
【補正対象項目名】００１６
【補正方法】変更
【補正の内容】
【００１６】
本発明の第１の側面の記録媒体のプログラムは、使用者の要求情報の入力を制御する要求情報入力制御ステップと、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比の推定を制御する混合比推定制御ステップと、混合比に基づいて、画像データの、前景成分画像と、背景成分画像への分離を制御する分離制御ステップと、分離制御ステップの処理で分離された前景成分画像と、任意の背景成分画像、または、分離制御ステップの分離された背景成分画像と、任意の前景成分画像との、所定の混合比での合成と、合成画像の生成を制御する合成制御ステップと、合成制御ステップの処理で合成された合成画像の出力を制御する出力制御ステップとを含むことを特徴とする。
【手続補正５】
【補正対象書類名】明細書
【補正対象項目名】００１７
【補正方法】変更
【補正の内容】
【００１７】
本発明の第１の側面のプログラムは、使用者の要求情報の入力を制御する要求情報入力制御ステップと、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比の推定を制御する混合比推定制御ステップと、混合比に基づいて、画像データの、前景成分画像と、背景成分画像への分離を制御する分離制御ステップと、分離制御ステップの処理で分離された前景成分画像と、任意の背景成分画像、または、分離制御ステップの分離された背景成分画像と、任意の前景成分画像との、所定の混合比での合成と、合成画像の生成を制御する合成制御ステップと、合成制御ステップの処理で合成された合成画像の出力を制御する出力制御ステップとをコンピュータに実行させることを特徴とする。
【手続補正６】
【補正対象書類名】明細書
【補正対象項目名】００１８
【補正方法】変更
【補正の内容】
【００１８】
本発明の第２の側面の通信システムは、第１の通信装置が、使用者の要求情報を入力する要求情報入力手段と、要求情報入力手段により入力された要求情報を第２の送信装置に送信する要求情報送信手段と、第２の通信装置より送信されてくる合成画像を受信する受信手段とを備え、第２の通信装置が、第１の送信装置より送信されてくる要求情報を受信する要求情報受信手段と、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定する混合比推定手段と、混合比に基づいて、画像データを、前景成分画像と、背景成分画像に分離する分離手段と、分離手段により分離された前景成分画像と、任意の背景成分画像、または、分離手段により分離された背景成分画像と、任意の前景成分画像とを、所定の混合比で合成し、合成画像を生成する合成手段と、合成手段により合成された合成画像を第１の通信装置に送信する合成画像送信手段とを備えることを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】変更
【補正の内容】
【００３７】
本発明の第１の側面においては、使用者の要求情報が入力され、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比が推定され、混合比に基づいて、画像データが、前景成分画像と、背景成分画像に分離され、分離された前景成分画像と、任意の背景成分画像、または、分離された背景成分画像と、任意の前景成分画像とが、所定の混合比で合成され、合成画像が生成され、合成された合成画像が出力される。
【手続補正２６】
【補正対象書類名】明細書
【補正対象項目名】００３８
【補正方法】変更
【補正の内容】
【００３８】
本発明の第２の側面においては、第１の通信装置により、使用者の要求情報が入力され、入力された要求情報が第２の送信装置に送信され、第２の通信装置より送信されてくる合成画像が受信され、第２の通信装置により、第１の送信装置より送信されてくる要求情報が受信され、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比が推定され、混合比に基づいて、画像データが、前景成分画像と、背景成分画像に分離され、分離された前景成分画像と、任意の背景成分画像、または、分離された背景成分画像と、任意の前景成分画像とが、所定の混合比で合成され、合成画像が生成され、合成された合成画像が第１の通信装置に送信される。
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】０８６２
【補正方法】変更
【補正の内容】
【０８６２】
【発明の効果】
本発明の第１の側面によれば、使用者の要求情報を入力し、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定し、混合比に基づいて、画像データを、前景成分画像と、背景成分画像に分離し、分離した前景成分画像と、任意の背景成分画像、または、分離した背景成分画像と、任意の前景成分画像とを、所定の混合比で合成し、合成画像を生成し、合成した合成画像を出力するようにした。
【手続補正３０】
【補正対象書類名】明細書
【補正対象項目名】０８６３
【補正方法】変更
【補正の内容】
【０８６３】
本発明の第２の側面によれば、第１の通信装置が、使用者の要求情報を入力し、入力した要求情報を第２の送信装置に送信し、第２の通信装置より送信されてくる合成画像を受信し、第２の通信装置が、第１の送信装置より送信されてくる要求情報を受信し、要求情報に基づいて、画素毎に、かつ、時間的に積分された画像を構成する光の量に応じて決定される画素値からなる画像データの、前景オブジェクトを構成する前景オブジェクト成分からなる前景成分画像と、背景オブジェクトを構成する背景オブジェクト成分からなる背景成分画像との混合の比率を示す混合比を推定し、混合比に基づいて、画像データを、前景成分画像と、背景成分画像に分離し、分離した前景成分画像と、任意の背景成分画像、または、分離された背景成分画像と、任意の前景成分画像とを、所定の混合比で合成し、合成画像を生成し、合成した合成画像を第１の通信装置に送信するようにした。
【手続補正３１】
【補正対象書類名】明細書
【補正対象項目名】０８６４
【補正方法】削除
【補正の内容】
【手続補正３２】
【補正対象書類名】明細書
【補正対象項目名】０８６５
【補正方法】削除
【補正の内容】